(57)【要約】【課題】Ｖ字状の吐出口が形成されたファンハウジングをプラスチック射出により製作し得る構造を有する送風装置を提供すること。【解決手段】送風装置４００が、遠心ファン４３０と、遠心ファン４３０を回転させる駆動部４１０と、駆動部４１０に固定結合されるブラケット４２０と、遠心ファン４３０を回転可能に収納してブラケット４２０に固定結合され気体を吸入する吸入口４５０および吸入した気体を吐出する吐出口４６０を有するファンハウジング４４０とを具備し、吐出口４６０の枠は、ブラケット４２０から回転軸方向に突出、形成された突出部の第１傾斜面４７１とファンハウジング４４０に形成された第２傾斜面４７２とによって回転軸方向に沿って窪んで形成され、第１傾斜面４７１と第２傾斜面４６２との接点で変曲点が形成されるようになっている。【選択図】　　　図１
2004060637.tif 000002
【特許請求の範囲】
【請求項１】
遠心ファンと、
該遠心ファンを回転させる駆動部と、
該駆動部の一方側に固定結合されるブラケットと、
前記遠心ファンを回転可能に収納して前記ブラケットに固定結合され、前記遠心ファンの回転軸方向に形成されて前記遠心ファンの回転によって気体を吸入する吸入口および該吸入口と垂直に形成されて該吸入口を通して吸入した気体を吐出する吐出口を有するファンハウジングとを具備し、
前記吐出口の枠は、前記ブラケットから前記回転軸方向に突出、形成された突出部の第１傾斜面および前記ファンハウジングに形成された第２傾斜面によって前記回転軸方向に沿って窪んで形成されることを特徴とする送風装置。
【請求項２】
前記第１傾斜面と第２傾斜面との接点で変曲点が形成されることを特徴とする請求項１記載の送風装置。
【請求項３】
前記枠は、Ｖ字状を成すことを特徴とする請求項１記載の送風装置。
【請求項４】
前記ファンハウジングは、前記遠心ファンの収納空間を形成すると共に、前記第２傾斜面の接点から前記ブラケットと結合される部分まで前記回転軸と平行した枠を有するように形成された結合部を具備することを特徴とする請求項１記載の送風装置。
【請求項５】
前記突出部は、前記ファンハウジングと接する部分に前記突出部が前記ファンハウジングに固定結合されるようにするための固定手段を更に具備することを特徴とする請求項１記載の送風装置。
【請求項６】
前記固定手段は、前記突出部に前記回転軸方向に突出、形成された固定突出部および前記固定突出部が挿合されるように前記ファンハウジングに形成された挿合部を具備することを特徴とする請求項５記載の送風装置。
【請求項７】
前記第１傾斜面および第２傾斜面は曲面であることを特徴とする請求項１記載の送風装置。
【請求項８】
前記第１傾斜面と第２傾斜面との先端は、相互にずれていることを特徴とする請求項１記載の送風装置。
【請求項９】
一対の遠心ファンと、
該遠心ファンを回転させる駆動部と、
該駆動部の両方側に夫々固定結合される一対のブラケットと、
前記遠心ファンを回転可能に収納して前記ブラケットに夫々固定結合され、前記遠心ファンの回転軸方向に形成されて該遠心ファンの回転によって気体を吸入する吸入口および該吸入口と垂直に形成されて前記吸入口を通して吸入した気体を吐出する吐出口を有する一対のファンハウジングとを具備し、
前記吐出口の枠は、前記ブラケットから前記回転軸方向に突出、形成された突出部の第１傾斜面および前記ファンハウジングに形成された第２傾斜面によって前記回転軸方向に沿って窪んで形成されて、前記第１傾斜面と第２傾斜面との接点で変曲点が形成されることを特徴とする送風装置。
【請求項１０】
前記第１傾斜面と第２傾斜面との接点で変曲点が形成されることを特徴とする請求項９記載の送風装置。
【請求項１１】
前記枠は、Ｖ字状を成すことを特徴とする請求項９記載の送風装置。
【請求項１２】
前記ファンハウジングは、前記遠心ファンの収納空間を形成すると共に、前記第２傾斜面の接点から前記ブラケットと結合される部分まで前記回転軸と平行した枠を有するように形成された結合部を具備することを特徴とする請求項９記載の送風装置。
【請求項１３】
前記突出部は、前記ファンハウジングと接する部分に前記突出部が前記ファンハウジングに固定結合されるようにするための固定手段を更に具備することを特徴とする請求項１２記載の送風装置。
【請求項１４】
前記固定手段は、前記突出部に前記回転軸方向に突出、形成された固定突出部および前記固定突出部が挿合されるように前記ファンハウジングに形成された挿合部を具備することを特徴とする請求項１３記載の送風装置。
【請求項１５】
前記第１傾斜面および第２傾斜面は曲面であることを特徴とする請求項９記載の送風装置。
【請求項１６】
前記送風装置は、ＯＴＲ電子レンジに配設されたことを特徴とする請求項９記載の送風装置。
【請求項１７】
前記第１傾斜面と第２傾斜面との先端は、相互にずれていることを特徴とする請求項９記載の送風装置。
【請求項１８】
遠心ファンと、
該遠心ファンを回転させる駆動部と、
該駆動部の一方側に固定結合されるブラケットと、
前記遠心ファンを回転可能に収納して前記ブラケットに固定結合され、前記遠心ファンの回転軸方向に形成されて、前記遠心ファンの回転によって気体を吸入する吸入口および該吸入口と垂直に形成されて、前記吸入口を通して吸入した気体を吐出する吐出口を有するファンハウジングとを具備し、
前記吐出口の枠を前記ブラケットから前記回転軸方向に突出、形成された突出部の第１傾斜面および前記ファンハウジングに形成された第２傾斜面によって前記回転軸方向に沿って窪んで形成され、前記第１傾斜面と第２傾斜面との接点で変曲点を形成することを特徴とする送風装置の製造方法。
【請求項１９】
前記ブラケットおよびファンハウジングは、射出成形によって製造されることを特徴とする請求項１８記載の送風装置の製造方法。
【発明の詳細な説明】
【０００１】
【発明の属する技術分野】
本発明は、送風装置に係るもので、詳しくは、ＯＴＲ（Ｏｖｅｒ−Ｔｈｅ−Ｒａｎｇｅ）電子レンジなどの内部に使用される送風装置に関するものである。
【０００２】
【従来の技術】
一般に、フード（ｈｏｏｄ）兼用電子レンジ（ＯＴＲ）は、台所に設置されるガスレンジの上方側空間部の壁面に設置されて、調理空間内でマイクロ波を利用した調理機能と共に、その内部に配設された送風装置を利用して、下方に配設されているガスレンジから発生する台所の燃焼ガスおよび汚染空気を吸入／排出する換気機能を遂行する家電機器である。
【０００３】
従来のフード兼用電子レンジにおいては、図６に示すように、マイクロ波により調理が行われる調理空間Ｃが形成された本体１と、該本体１を収納すると共に、本体１の両方側に排気路２が形成された外部ケーシング３と、本体１の上部後方側に配設された送風装置４とを具備している。
【０００４】
調理空間Ｃの内側には、調理空間Ｃの内部に収納される飲食物を回転させるように回転トレイ５が回転可能に設けられ、調理空間Ｃの外側には、調理時に調理空間Ｃの内部に誘導されるマイクロ波を発生するマグネトロン８が配設されている。
【０００５】
外部ケーシング３の下方側には、排気路２と連通される空気吸入口６が形成され、上面には、外部に空気を排出するための空気排出口７が形成されている。ここで、空気排出口７は、使用者の便宜によって建物の換気ダクトおよび連結ダクト（図示されず）によって連結されるか、または換気ダクトの無い建物では、送風装置４の吐出タクトを前面に装着して前面に設けられているフィルター（図示されず）を経て室内に循環させることもできる。
【０００６】
上記のように構成された従来のフード兼用電子レンジは、ガスレンジの上方に設置され、電子レンジ本来の機能は勿論で、使用者がガスレンジを使用して調理する時に発生する煙および臭いなどを排気するフードの機能を遂行する。
【０００７】
従来のフード兼用電子レンジは、使用者がドア（図示されず）を開いて調理空間Ｃ内側の回転トレイ５上に飲食物を載置した後、ドアを閉めて操作板（図示されず）の作動ボタンを押すと、回転トレイ５が回転されて飲食物を回転させると同時に、マグネトロン１０からマイクロ波が発生し、調理空間Ｃの内部に誘導されながらマイクロ波による飲食物を調理する電子レンジ本来の機能を遂行する。
【０００８】
従来のフード兼用電子レンジは、使用者が操作板のフード動作ボタンを押すと、電子レンジの内部に設けられた送風装置４が作動して吸入力が発生して点線により示すように、下方側に設置されたガスレンジを利用して調理する時に発生する燃焼ガスおよび汚染空気を、外部ケーシング３の下面に形成された空気吸入口６を通して吸入し、該吸入された空気を排気路２を通して外部ケーシング３の上面に形成された空気排出口７を通して外部に排出して換気する、または、室内に循環させるフードの機能を遂行する。
【０００９】
従来のフード兼用電子レンジの送風装置４は、図７、８に示すように、中央部に備えられたモータ４１の両方側に結合されたブラケット４２と、該ブラケット４２の中央部外側に突出された回転軸（図示されず）に結合された遠心ファン４３と、ブラケット４２に一方側が固定されると共に、遠心ファン４３の外側を被覆するように結合された円筒形のファンハウジング４４とを具備する。
【００１０】
ファンハウジング４４は、外側に空気を吸入する吸入口４５が形成され、該吸入口４５の吸入された空気を吐出する吐出口４６が吸入口４５の直角方向に形成されている。
【００１１】
吐出口４６の一方側には、吐出される空気を案内するカットオフ部（ｃｕｔ−ｏｆｆ　ｐｏｒｔｉｏｎ）４７が突出、形成される。
【００１２】
このように構成された従来の送風装置４は、電源が印加されてモータ４１が回転されると、該モータ４１と軸結合された遠心ファン４３が回転し、該遠心ファン４３の回転によって吸入力が発生して外部空気がファンハウジング４４の両方側吸入口４５を通して内側に吸入される。
【００１３】
吸入口４５を通してファンハウジング４４の内側に吸入された空気は、遠心ファン４３の回転力により吸入口４５の直角方向に形成された吐出口４６に吐出される。
【００１４】
【発明が解決しようとする課題】
然るに、このような従来の送風装置では、遠心ファン４３の回転によって形成される空気流動は、吐出口４６の角部分で境界層の成長により広い損失領域が形成され、このような吐出口４６における流動損失は、風量を低減する要因となると共に、遠心ファン４３の翼通過周波数（Ｂｌａｄｅ　Ｐａｓｓｉｎｇ　Ｆｒｅｑｕｅｎｃｙ；　ＢＰＦ）騷音を増大させるという問題がある。
【００１５】
このような問題点を解決する方法として、本出願人が出願して公開された大韓民国２０００年第４０２０９号（大韓民国特許出願１９９８年第５５７８２号、米国特許ＵＳ６２００９３）に記載されているように、吐出口４６にカットオフ部分をＶ字状に形成することがある。
【００１６】
然し、本出願人により提示されたＶ字状の吐出口が形成されたファンハウジングをプラスチック射出により製作する場合に、アンダーカットが生じ、ファンハウジングの金型作業に際して、ルース・コアおよびスライド・コアを設置して使用しなければならないため、大量生産し得るプラスチック射出への設計が難しいという問題がある。
【００１７】
本発明は、このような従来技術の問題を解決することを技術課題としており、Ｖ字状の吐出口が形成されたファンハウジングをプラスチック射出により製作し得る構造を有する送風装置を提供することを目的とする。
【００１８】
【課題を解決するための手段】
このような目的を達成するため、本発明に係る送風装置は、遠心ファンと、該遠心ファンを回転させる駆動部と、該駆動部の一方側に固定結合されるブラケットと、前記遠心ファンを回転可能に収納して前記ブラケットに固定結合され、前記遠心ファンの回転軸方向に形成されて前記遠心ファンの回転によって気体を吸入する吸入口および該吸入口と垂直に形成されて該吸入口を通して吸入した気体を吐出する吐出口を有するファンハウジングとを具備し、前記吐出口の枠は、前記ブラケットから前記回転軸方向に突出、形成された突出部の第１傾斜面および前記ファンハウジングに形成された第２傾斜面によって前記回転軸方向に沿って窪んで形成され、前記第１傾斜面と第２傾斜面との接点で変曲点が形成されることを特徴とする。
前記遠心ファン、ブラケットおよびファンハウジングは、前記駆動部の両方側に一対に配設することができる。
【００１９】
また、本発明に係る送風装置の製造方法は、遠心ファンと、該遠心ファンを回転させる駆動部と、該駆動部の一方側に固定結合されるブラケットと、前記遠心ファンを回転可能に収納して前記ブラケットに固定結合され、前記遠心ファンの回転軸方向に形成されて前記遠心ファンの回転によって気体を吸入する吸入口および該吸入口と垂直に形成されて前記吸入口を通して吸入した気体を吐出する吐出口を有するファンハウジングとを具備する送風装置において、前記吐出口の枠を前記ブラケットから前記回転軸方向に突出、形成された突出部の第１傾斜面および前記ファンハウジングに形成された第２傾斜面によって前記回転軸方向に沿って窪んで形成し、前記第１傾斜面と第２傾斜面との接点で変曲点を形成することを特徴とする。
【００２０】
【発明の実施の形態】
以下、添付図面を参照して、本発明の実施の形態を説明する。
本発明に係る送風装置４００は、図１に示すように、一対の遠心ファン４３０と、該遠心ファン４３０が夫々駆動軸（図示されず）に結合された回転軸（図示されず）を有する駆動モータ４１０と、該駆動モータ４１０の両方側に夫々固定結合されるブラケット４２０と、遠心ファン４３０を回転可能に収納してブラケット４２０に夫々固定結合され、遠心ファン４３０の回転軸方向に形成されて、遠心ファン４３０の回転によって気体を吸入する吸入口４５０と、該吸入口４５０と垂直に形成されて、該吸入口４５０を通して吸入した気体を吐出する吐出口４６０を有する一対のファンハウジング４４０とを具備している。
【００２１】
吐出口４６０は、空気が円滑に吐出されるようにカットオフ部４７０が形成された枠を有する。また、カットオフ部４７０は、図２（ａ）に示すように、ブラケット４２０から遠心ファン４３０の回転軸方向Ｚに突出、形成された突出部４８０の第１傾斜面４７１およびファンハウジング４４０に形成された第２傾斜面４７２によって回転軸方向Ｚに沿って窪んで形成され、第１傾斜面４７１と第２傾斜面４７２との接点４７３で折曲される変曲点が形成される。
【００２２】
カットオフ部４７０の形状は、Ｖ字またはＵ字形状から成り、第１傾斜面４７１と第２傾斜面４７２とが会う接点４７３は、折曲された部分に形成される。また、第１傾斜面４７１および第２傾斜面４７２は、平面または曲面にて形成することができる。
【００２３】
第１傾斜面４７１と第２傾斜面４７２との各先端４７３ａ、４７３ｂは、図２（ｂ）（ｃ）に示すように、相互にずれるように形成することもできる。
【００２４】
一対のブラケット４２０は、図４に示すように、駆動モータ４１０の両方側に夫々固定結合されるが、駆動モータが挟まれる開口部４２１が形成されて、該開口部４２１の外方側壁面には、駆動モータ４１０に固定結合される締結部４２２が形成される。
【００２５】
ブラケット４２０に形成された突出部４８０は、遠心ファン４３０の回転軸方向Ｚに長く形成され、吐出口４６０の枠を成す第１傾斜面４７１有し、残りの部分は、ファンハウジング４４０と接する。突出部４８０の一部には、ブラケット４２０とファンハウジング４４０とを相互結合させる固定手段を設けることができる。
【００２６】
前記固定手段は、図３に示すように、突出部４８０の先端に遠心ファン４３０の回転軸方向Ｚに突出、形成された固定突出部４８１および突出部４８０の端部がファンハウジング４３０に接する部分に形成されて、固定突出部４８１が挟まれる挿合部４８２を具備する。
突出部４８０の内側面４８０ｓは、図５に示すように、後述する遠心ファン４２０の円筒形の収納空間Ｓの一部を成すように形成することもできる。
【００２７】
ファンハウジング４４０は、前述したように、ブラケット４２０結合されて遠心ファン４２０を回転可能に収納するための円筒形の収納空間Ｓが形成され、吐出口４６０に連結される吐出流路（図示されず）が遠心ファン４３０の外周部に形成される。
【００２８】
特に、前記吐出流路が自然に形成されるようにブラケット４２０の突出部４８０の下方側には、遠心ファン４３０の回転軸と平行した枠４６１ａを有する結合部４６１を形成することができる。
【００２９】
【発明の効果】
以上説明したように、本発明に係る送風装置によれば、吐出口のカットオフ部をブラケットに第１傾斜面を有する突出部を一体に形成し、ファンハウジングの吐出口一方側面に第２傾斜面を形成し、ブラケットにファンハウジングが組立てられる時、吐出口に形成されたカットオフ部がＶ字状を成すように設計することで、ブラケットおよびファンハウジングを夫々射出作業により製作し得るし、部品の大量生産が可能になるという効果を奏する。
【図面の簡単な説明】
【図１】本発明に係る送風装置の斜視図である。
【図２】（ａ）、（ｂ）、（ｃ）は図１の送風装置のブラケットとファンハウジングとの組立状態を示した平面図である。
【図３】図１の送風装置のブラケットとファンハウジングとの解体状態を示した平面図である。
【図４】図１の送風装置のブラケットの回転軸方向の平面図である。
【図５】図１の送風装置のブラケットおよびファンハウジングを示した斜視図である。
【図６】従来の送風装置を有したフード兼用電子レンジの構造を概略的に示した正面図である。
【図７】図６のフード兼用電子レンジに使用される従来の送風装置を示した斜視図である。
【図８】図７の送風装置の平面図である。
【符号の説明】
４１０…モータ
４２０…モータブラケット
４３０…遠心ファン
４４０…ファンハウジング
４５０…吸入口
４６０…吐出口
４７０…カットオフ部
【図１】
2004060637.tif 000003
【図２】
2004060637.tif 000004
【図３】
2004060637.tif 000005
【図４】
2004060637.tif 000006
【図５】
2004060637.tif 000007
【図６】
2004060637.tif 000008
【図７】
2004060637.tif 000009
【図８】
2004060637.tif 000010